【事件の表示】
　特願２０１５−５１１６５５「ユーザインタフェースオブジェクトを移動し、ドロップするためのデバイス、方法及びグラフィカルユーザインタフェース」拒絶査定不服審判事件〔平成２５年１１月１４日国際公開、ＷＯ２０１３／１６９８８２、平成２７年　７月　９日国内公表、特表２０１５−５１９６５６〕について、次のとおり審決する。
【結　論】
　本件審判の請求は、成り立たない。
【理　由】
第１　手続の経緯
　本願は、２０１３年５月８日（パリ条約による優先権主張外国庁受理　２０１２年５月９日　米国、２０１２年１２月２９日　米国、２０１３年３月１３日　米国）を国際出願日とする出願であって、平成２８年３月４日付けで拒絶理由通知がされ、平成２８年８月２６日付けで手続補正がされたが、平成２８年１２月２０日付けで拒絶査定がされ、これに対し、平成２９年４月１９日に拒絶査定不服審判の請求がされたものである。
第２　本願発明
　本願の請求項１に係る発明は（以下、それぞれ「本願発明」という。）は、平成２８年８月２６日付け手続補正書の特許請求の範囲の請求項１に記載された、次のとおりのものと認める。
「【請求項１】
　方法であって、
　タッチ感知面及びディスプレイを備え、前記タッチ感知面との接触の強度を検出するための１つ以上のセンサを含む、電子デバイスにおいて、
　前記タッチ感知面との接触を検出することであって、前記接触が、現在選択されている対応のユーザインタフェースオブジェクトの移動を制御するフォーカスセレクタと関連付けられる、接触を検出することと、
　前記タッチ感知面上での前記接触を連続的に検出している間に、
　　対応のロケーションに向かう前記フォーカスセレクタの移動に対応する前記タッチ感知面上での前記接触の第１の移動を検出することと、
　　前記タッチ感知面上での前記接触の前記第１の移動を検出することに応答して、
　　　前記接触の前記第１の移動に従って前記ディスプレイ上で前記フォーカスセレクタを移動し、前記フォーカスセレクタの前記移動に従って前記対応のユーザインタフェースオブジェクトを移動し、かつ、
　　　前記フォーカスセレクタが前記ディスプレイ上の前記対応のロケーションにある間に、前記タッチ感知面上での前記接触の強度を判定することと、
　　前記対応のロケーションから離れる前記フォーカスセレクタの移動に対応する前記タッチ感知面上での前記接触の第２の移動を検出することと、
　　前記タッチ感知面上での前記接触の前記第２の移動を検出することに応答して、
　　　前記接触が対応の強度評価基準を満たすという判定に従って、前記タッチ感知面上での前記接触の前記第２の移動に従って前記フォーカスセレクタ及び前記ユーザインタフェースオブジェクトを移動し、かつ、
　　　前記接触が前記対応の強度評価基準を満たさないという判定に従って、前記ユーザインタフェースオブジェクトを移動することなく、前記タッチ感知面上での前記接触の前記第２の移動に従って前記フォーカスセレクタを移動することと、
　を含み、
　前記対応の強度評価基準が、対応の強度閾値を含み、
　前記接触の前記強度が既定の時間期間よりも長い時間にわたって前記対応の強度閾値を下回るときに、前記接触が前記対応の強度評価基準を満たさない、
　方法。」
　
第３　引用文献
（１）引用文献１・引用発明
　本願の優先日前に日本国内において頒布され、原査定の拒絶の理由に引用された特開２００１−２０２１９２号公報（以下、「引用文献１」という。）には、次の技術事項が記載されている。（下線部は、当審により付加した。以下、同じ。）
ア．「【０００１】
【発明の属する技術分野】本発明は情報処理装置及びその方法並びにプログラム格納媒体に関し、例えばノートブック型のパーソナルコンピュータに適用して好適なものである。」
イ．「【０００５】
【発明が解決しようとする課題】ところが、かかる構成のパーソナルコンピュータにおいては、ユーザが操作キーを操作しているときに、その手や腕がタッチパッドの表面に触れると、操作キーによる操作途中であるにも関わらずに、タップ操作が行われたものと認識して誤った処理を実行する場合があり、操作性を向上させるには未だ不十分な問題があった。」
ウ．「【００１３】
【発明の実施の形態】以下図面について、本発明の一実施の形態を詳述する。
【００１４】（１）ノートブック型のパーソナルコンピュータの全体構成
図１において、
１
パーソナルコンピュータを示し、本体２と
表示部３とから構成され
【００１５】
本体２には、その上面２Ａに各種文字や記号及び数字等を入力するための複数の操作キー４、マウスカーソルの移動等に用いられるタッチパッド５、通常のマウスにおける左ボタン及び右ボタンに相当する左クリックボタン６及び右クリックボタン７、スピーカー８Ａ及び８Ｂが設けられている
【００１６】
表示部３には、正面にＬＣＤ（Liquid Cryctal Display）でなる液晶ディスプレイ１０が設けられている
エ．「【００２１】（２）タッチパッドの構成
ところで、かかるパーソナルコンピュータ１に設けられた
タッチパッド５
感圧式でなり、シート状の感圧センサ３０に可撓性を有するシート状の位置検出センサ３１が重ね合わせられて構成され
【００２２】位置検出センサ３１においては、図４に示すように、例えば、２枚のポリエステルフィルム基板３１Ａ及び３１Ｂの対向する面にそれぞれ複数の線状の電極３２Ａ及び３２Ｂがストライプ状に形成され、これらポリエステルフィルム基板３１Ａ及び３１Ｂが互いの電極３２Ａ及び３２Ｂを直交させ、かつ微少な点状のスペーサ（図示せず）で隔てられた状態で積層されて形成されている。
【００２３】そして、位置検出センサ３１においては、ポリエステルフィルム基板３１Ａ及び３１Ｂがそれぞれ指で押圧された部位のみを変形させるような可撓性を有することにより、ポリエステルフィルム基板３１Ａ及び３１Ｂの対向する複数の電極３２Ａ及び３２Ｂのうち、指で押圧された部位において対向している電極３２Ａ及び３２Ｂ同士のみを接触させて導通させる。
【００２４】従って、位置検出センサ３１においては、押圧によって接触した電極３２Ａ及び３２Ｂ同士を検出すれば、当該電極３２Ａ及び３２Ｂ同士の接触した交点位置から指で押圧された位置（座標）を検出させ得るようになされている。
【００２５】一方、感圧センサ３０においては、図５に示すように、圧電フィルム等の感圧シート３０Ａと、金属シート等の導電シート３０Ｂとが積層されて形成され、位置検出センサ３１が押圧されると、当該押圧による位置検出センサ３１の変形に伴って感圧シート３０Ａが押圧され、このとき感圧シート３０Ａ及び導電シート３０Ｂにより押圧の圧力（以下、これを押圧力と呼ぶ）に応じた電圧を発生する。
【００２６】従って、感圧センサ３０においては、押圧されたときに発生する電圧を検出すれば、その電圧に基づいて押圧力を検出させ得るようになされている。
【００２７】かくして、タッチパッド５においては
、その表面が指でこすられたり、また、タップ操作が行われると、位置検出センサ３１により指で押圧された位置を検出させ得ると共に、このとき感圧センサ３０によりその押圧力を検出させ得るようになされている
オ．「【００２８】（３）ノートブック型のパーソナルコンピュータの回路構成
ここで、図６に示すように、ノートブック型の
パーソナルコンピュータ１の本体２においては、当該本体２における各種機能を統括的に制御するＣＰＵ（Central Processing Unit ）３５
ＲＡＭ（Random Access Memory）３７にロードされた各種プログラムやアプリケーションソフトウェア
カ．「【０１０１】ここで、
ＣＰＵ３５は、
特殊処理開始用のα閾値及び特殊処理終了用のβ閾値をそれぞれ別々に設定することにより
通常処理モードＰ
0
 においてタッチパッド５の表面がα閾値以上の押圧力Ｚで押圧されると、特殊処理モードＰ
1
 に移って特殊処理を実行し、この後タッチパッド５の表面の押圧力Ｚがβ閾値を下回るまでは、そのまま特殊処理を継続して実行する。そして、ＣＰＵ３５は、タッチパッド５の表面に加えられる押圧力Ｚがβ閾値を下回ると、特殊処理を終了して特殊処理モードＰ
1 
から通常処理モードＰ
0
 に移り、かくして、タッチパッド５の表面がβ閾値を下回る押圧力で押圧されると、その押圧に応じてマウスカーソルの移動等のような通常処理を実行する
【０１０２】ところで、ＣＰＵ３５は、図１２及び図１３について上述したα閾値設定処理手順ＲＴ３及びβ閾値設定処理手順ＲＴ４においてもふれたが、α閾値及びβ閾値を当該
α閾値がβ閾値よりも大きい値となるように
設定させる
【０１０３】すなわち、ＣＰＵ３５は、図１５に示すように、タッチパッド５の表面にα閾値以上の押圧力が加えられるまでは通常処理モードＰ0 となり、当該タッチパッド５の表面にα閾値以上の押圧力が加えられると特殊処理モードＰ1 に移るものの、この後タッチパッド５の表面に加えられている
押圧力がα閾値よりも小さい値でなるβ閾値を下回るまでの間はそのまま特殊処理モードＰ
1 
を継続し、当該押圧力がβ閾値を下回ると通常処理モードＰ
0
 に移る
【０１０４】
これにより
タッチパッド５の表面がこすられている間特殊処理を実行するような場合にその表面に加えられる押圧力が変動しても、当該押圧力の変動により特殊処理を中断することを防止することができる
キ．「【０１２１】ここで、ＣＰＵ３５は、α閾値及びβ閾値が設定されると共に、
特殊処理を実行するように設定されると、図１９に示すように
特殊処理実行処理手順ＲＴ６
【０１２２】次いで、ＣＰＵ３５は、Ｉ／Ｏコントローラ５２から座標データ及び押圧力データが与えられると、ステップＳＰ６２に進んで当該
押圧力データに基づいて得られる押圧力がα閾値以上であるか否かを判断する
【０１２３】このステップＳＰ６２において
肯定結果を得ると、このことはタッチパッド５の表面がα閾値以上の押圧力で押圧されたことにより、通常処理モードから特殊処理モードに移る
【０１２４】続いて、ＣＰＵ３５は、ステップＳＰ６４に進んで再びタッチパッド５の表面の押圧に応じてＩ／Ｏコントローラ５２から座標データ及び押圧力データが与えられることを待ち受け、当該Ｉ／Ｏコントローラ５２から座標データ及び押圧力データが与えられると、ステップＳＰ６５に進んでその
押圧力データに基づいて得られる押圧力がβ閾値よりも小さい値であるか否かを判断する
【０１２５】このステップＳＰ６５において
否定結果を得ると、このことはタッチパッド５の表面がβ閾値以上の押圧力で押圧されていることにより特殊処理モードを継続する
【０１２６】これに対して、ステップＳＰ６５において
肯定結果を得ると、このことはタッチパッド５の表面がβ閾値よりも小さい押圧力で押圧されたことにより、特殊処理モードから通常処理モードに移る
タッチパッド５の表面の押圧に応じてＯＳに基づくマウスカーソル７０の移動等の通常処理を実行する
【０１２７】次いで、ＣＰＵ３５は、ステップＳＰ６７に進んで、電源スイッチ１６がオフ操作されたか否かを判断し、当該ステップＳＰ６７において電源スイッチ１６がオフ操作されずに否定結果を得ると、ステップＳＰ６１に戻り、この後、ステップＳＰ６７において肯定結果を得るまでの間、ステップＳＰ６１−ＳＰ６２−ＳＰ６３−ＳＰ６４−ＳＰ６５−ＳＰ６６−ＳＰ６７の処理ループを繰り返す。
【０１２８】これに対して、ＣＰＵ３５は、ステップＳＰ６７において、電源スイッチ１６がオフ操作されることにより肯定結果を得ると、続くステップＳＰ６８に進んで特殊処理実行処理手順ＲＴ６を終了する。
【０１２９】因みに、ＣＰＵ３５は、ステップＳＰ６７において、液晶ディスプレイ１０に押圧力設定用ウィンドウ画面６０を表示させ、かつマウスカーソル７０を閾値設定部６２内に移動させることにより設定モードに移ったときには、特殊処理（これに加えて通常処理も）を実行しないようになされていることにより、続くステップＳＰ６８に進んで特殊処理実行処理手順ＲＴ６を終了する。
【０１３０】また、ステップＳＰ６２において否定結果を得ると、このことはタッチパッド５の表面がα閾値よりも小さい値の押圧力で押圧されたことにより通常処理モードを継続することを意味し、このときＣＰＵ３５は、そのタッチパッド５の表面の押圧に応じて、ＲＡＭ３７上で立ち上げているＯＳに従ってマウスカーソル７０の移動等の通常処理を実行した後、ステップＳＰ６１に戻る。」
ク．「【０１３１】実際にＣＰＵ３５は、図２０に示すように、
特殊処理として、「左ボタン操作処理」を実行するように設定されている場合
液晶ディスプレイ１０にウィンドウ画面８０（当審注：「マイコンピュータのウィンドウ画面」の誤記と認められる。）を表示させた状態において、タッチパッド５の表面がα閾値よりも小さい押圧力で押圧されてこすられることによりマウスカーソル７０をウィンドウ画面８０（当審注：「マイコンピュータのウィンドウ画面」の誤記と認められる。）のタイトルバー８１上に移動させた後、当該タッチパッド５の表面が
指でα閾値以上の押圧力で押圧されると、そのウィンドウ画面８０（当審注：「マイコンピュータのウィンドウ画面」の誤記と認められる。）をアクティブな状態にする
【０１３２】
そして、ＣＰＵ３５は、図２１に示すように、このようにタッチパッド５の表面が指でβ閾値以上の押圧力で押圧された状態でこすられると、ＲＡＭ３７上に立ち上げている特殊処理表示プログラム及びＯＳに基づき、その指の移動に応じて（すなわち、このときＩ／Ｏコントローラ５から得られる座標データに応じて）マウスカーソル７０と共にウィンドウ画面６０（当審注：「マイコンピュータのウィンドウ画面」の誤記と認められる。）を移動させ、この後、タッチパッド５の表面に加えられた押圧力がβ閾値を下回ると、その時点でマウスカーソル７０と共に、ウィンドウ画面８０（当審注：「マイコンピュータのウィンドウ画面」の誤記と認められる。）を停止させる
【０１３３】
かくして、ＣＰＵ３５は、「左ボタン操作処理」を実行するように選定された場合は、特殊処理として、ウィンドウ画面８０（当審注：「マイコンピュータのウィンドウ画面」の誤記と認められる。）をドラッグ操作し得る
ケ．「【０１６０】（５）本実施の形態の動作及び効果
　　　・・・（中略）・・・
【０１６５】以上の構成によれば、タッチパッド５の表面に加えられる押圧力に対して特殊処理開始用のα閾値及び特殊処理終了用のβ閾値を任意に設定させ、
当該タッチパッド５の表面にα閾値以上の押圧力が加えられると、特殊処理を実行し、この後タッチパッド５の表面に加えられる押圧力がβ閾値を下回ると特殊処理を終了するようにしたことにより、所定の処理の実行途中にユーザの手や腕がタッチパッド５の表面に触れても特殊処理を誤って実行することをほぼ確実に防止することができ
コ．図１９
サ．
シ．
・上記ウ．の段落【００１４】には、パーソナルコンピュータ１が、本体２と、表示部３とから構成されることが、さらに、段落【００１５】には、本体２には、その上面２Ａに各種文字や記号及び数字等を入力するための複数の操作キー４、マウスカーソルの移動等に用いられるタッチパッド５、通常のマウスにおける左ボタン及び右ボタンに相当する左クリックボタン６及び右クリックボタン７、スピーカー８Ａ及び８Ｂが設けられていること、また、段落【００１６】には、表示部３には、正面にＬＣＤ（Liquid Cryctal Display）でなる液晶ディスプレイ１０が設けられていること、が記載されている。
　したがって、引用文献１には、上面２Ａに各種文字や記号及び数字等を入力するための複数の操作キー４、マウスカーソルの移動等に用いられるタッチパッド５、通常のマウスにおける左ボタン及び右ボタンに相当する左クリックボタン６及び右クリックボタン７、スピーカー８Ａ及び８Ｂが設けられている本体２と、正面にＬＣＤ（Liquid Cryctal Display）でなる液晶ディスプレイ１０が設けられている表示部３と、から構成されるパーソナルコンピュータ１、が記載されているといえる。
　また、上記カ．、キ．、及び図１９には、該パーソナルコンピュータ１において、特殊処理を実行する特殊処理実行手順ＲＴ６が、さらに、上記ク．及び図２０、図２１には、該特殊処理として「左ボタン操作処理」を設定し「ドラッグ操作」を実行する手順が記載されている。
　したがって、引用文献１には、上面２Ａに各種文字や記号及び数字等を入力するための複数の操作キー４、マウスカーソルの移動等に用いられるタッチパッド５、通常のマウスにおける左ボタン及び右ボタンに相当する左クリックボタン６及び右クリックボタン７、スピーカー８Ａ及び８Ｂが設けられている本体２と、正面にＬＣＤ（Liquid Cryctal Display）でなる液晶ディスプレイ１０が設けられている表示部３と、から構成されるパーソナルコンピュータ１において、特殊処理を実行する方法、及び、特殊処理として「左ボタン操作処理」を設定し「ドラッグ操作」実行する手順、が記載されているといえる。
・上記カ．の段落【０１０１】、及び上記キ．の段落【０１２１】−【０１２６】には、ＣＰＵ３５は、特殊処理開始用のα閾値及び特殊処理終了用のβ閾値をそれぞれ別々に設定することにより、通常処理モードＰ0 においてタッチパッド５の表面がα閾値以上の押圧力で押圧されると、特殊処理モードＰ1 に移って特殊処理を実行し、この後タッチパッド５の表面の押圧力がα閾値よりも小さい値でなるβ閾値を下回るまでは、そのまま特殊処理を継続して実行し、タッチパッド５の表面に加えられる押圧力がβ閾値を下回ると、特殊処理を終了して特殊処理モードＰ1 から通常処理モードＰ0 に移り、その押圧に応じてマウスカーソルの移動等のような通常処理を実行すること、また、上記カ．の段落【０１０２】には、α閾値がβ閾値よりも大きい値となるように設定されること、そして、上記カ．の段落【１０３】−【１０４】には、押圧力がα閾値よりも小さい値でなるβ閾値を下回るまでは、そのまま特殊処理を継続して実行し、タッチパッド５の表面に加えられる押圧力がβ閾値を下回ると、特殊処理を終了して特殊処理モードＰ1 から通常処理モードＰ0 に移ることで、タッチパッド５の表面がこすられている間特殊処理を実行するような場合にその表面に加えられる押圧力が変動しても、当該押圧力の変動により特殊処理が中断することを防止することができることが、さらに、上記ケ．の段落【０１６５】には、当該タッチパッド５の表面にα閾値以上の押圧力が加えられると、特殊処理を実行することにより、所定の処理の実行途中にユーザの手や腕がタッチパッド５の表面に触れても特殊処理を誤って実行することをほぼ確実に防止することができることが記載されている。
　したがって、引用文献１には、ＣＰＵ３５は、特殊処理開始用のα閾値及び特殊処理終了用のβ閾値をそれぞれα閾値がβ閾値よりも大きい値となるように別々に設定することにより、通常処理モードＰ0 においてタッチパッド５の表面がα閾値以上の押圧力で押圧されると、特殊処理モードＰ1 に移って特殊処理を実行し、この後タッチパッド５の表面の押圧力がα閾値よりも小さい値でなるβ閾値を下回るまでは、そのまま特殊処理を継続して実行し、タッチパッド５の表面に加えられる押圧力がβ閾値を下回ると、特殊処理を終了して特殊処理モードＰ1 から通常処理モードＰ0 に移り、その押圧に応じてマウスカーソルの移動等のような通常処理を実行することで、所定の処理の実行途中にユーザの手や腕がタッチパッド５の表面に触れても特殊処理を誤って実行することをほぼ確実に防止することができ、さらに、タッチパッド５の表面がこすられている間特殊処理を実行するような場合にその表面に加えられる押圧力が変動しても、当該押圧力の変動により特殊処理が中断することを防止することができること、が記載されているといえる。
・図２０、図２１の記載によれば、ドラッグ操作がなされているのは、「ウィンドウ画面８０」、「ウィンドウ画面６０」ではなく、マイコンピュータのウィンドウ画面であり、上記ク．に記載される「ウィンドウ画面８０」、「ウィンドウ画面６０」は「マイコンピュータのウィンドウ画面」の誤記と認められる。
　したがって、上記引用文献１には次の発明（以下、「引用発明」という。）が記載されていると認められる。
「上面２Ａに各種文字や記号及び数字等を入力するための複数の操作キー４、マウスカーソルの移動等に用いられるタッチパッド５、通常のマウスにおける左ボタン及び右ボタンに相当する左クリックボタン６及び右クリックボタン７、スピーカー８Ａ及び８Ｂが設けられている本体２と、正面にＬＣＤ（Liquid Cryctal Display）でなる液晶ディスプレイ１０が設けられている表示部３と、から構成されるパーソナルコンピュータ１において、特殊処理を実行する方法であって、
　前記タッチパッド５は、感圧式でなり、シート状の感圧センサ３０に可撓性を有するシート状の位置検出センサ３１が重ね合わせられて構成され、その表面が指でこすられたり、また、タップ操作が行われると、位置検出センサ３１により指で押圧された位置を検出させ得ると共に、このとき感圧センサ３０によりその押圧力を検出させ得るようになされており、
　本体２には、各種機能を統括的に制御するＣＰＵ（Central Processing Unit ）３５と、各種プログラムやアプリケーションソフトウェアがロードされるＲＡＭ（Random Access Memory）３７が設けられ、
　前記ＣＰＵ３５は、特殊処理開始用のα閾値及び特殊処理終了用のβ閾値をそれぞれα閾値がβ閾値よりも大きい値となるように別々に設定することにより、通常処理モードＰ0 においてタッチパッド５の表面がα閾値以上の押圧力で押圧されると、特殊処理モードＰ1 に移って特殊処理を実行し、この後タッチパッド５の表面の押圧力がα閾値よりも小さい値でなるβ閾値を下回るまでは、そのまま特殊処理を継続して実行し、タッチパッド５の表面に加えられる押圧力がβ閾値を下回ると、特殊処理を終了して特殊処理モードＰ1 から通常処理モードＰ0 に移り、その押圧に応じてマウスカーソルの移動等のような通常処理を実行することで、所定の処理の実行途中にユーザの手や腕がタッチパッド５の表面に触れても特殊処理を誤って実行することをほぼ確実に防止することができ、さらに、タッチパッド５の表面がこすられている間特殊処理を実行するような場合にその表面に加えられる押圧力が変動しても、当該押圧力の変動により特殊処理が中断することを防止することができるものであって、
　特殊処理として「左ボタン操作処理」を設定した際には、
　前記液晶ディスプレイ１０にマイコンピュータのウィンドウ画面を表示させた状態において、タッチパッド５の表面がα閾値よりも小さい押圧力で押圧されてこすられることによりマウスカーソル７０をマイコンピュータのウィンドウ画面のタイトルバー８１上に移動させ、
　そこで当該タッチパッド５の表面が指でα閾値以上の押圧力で押圧されると、そのマイコンピュータのウィンドウ画面をアクティブな状態にし、
　タッチパッド５の表面が指でβ閾値以上の押圧力で押圧された状態でこすられると、ＲＡＭ３７上に立ち上げている特殊処理表示プログラム及びＯＳに基づき、その指の移動に応じてマウスカーソル７０と共にマイコンピュータのウィンドウ画面を移動し、
　この後、タッチパッド５の表面に加えられた押圧力がβ閾値を下回ると、その時点でマウスカーソル７０と共に、マイコンピュータのウィンドウ画面を停止させる、
　特殊処理を実行する方法。」
（２）引用文献２
　本願の優先日前に日本国内において頒布され、拒絶査定時に引用された特開２０１２−２７９４０号公報（以下、「引用文献２」という。）には、次の技術事項が記載されている。
ア．「【００４６】
　図５には、アイコンＡに対して入力された２ヶ所の接触位置（ポイントＰ１ａ，Ｐ２ａ）を示している。ポイントＰ１ａは、例えば親指の接触位置に対応し、ポイントＰ２ａが人差し指の接触位置に対応する。
【００４７】
　ここで、ユーザが、親指と人差し指をタッチパネル１５に接触させたまま摘む操作、すなわち親指と人差し指とを近づける操作をすると、図６に示すように、接触検出部２０３により検出されるポイントＰ１ａがポイントＰ１ｂに移動され、ポイントＰ２ａがポイントＰ２ｂに移動される。
【００４８】
　操作判定部２０４ａは、ポイントＰ１ｂとポイントＰ２ｂの２ヶ所の接触位置が特定範囲内にあるかを判別する。ここでは、移動先のポイントＰ１ｂとポイントＰ２ｂが予め決められた一定値Ｈの距離内にまで移動され、かつポイントＰ１ｂとポイントＰ２ｂの位置に、移動処理の対象とするオブジェクトが存在しているかを判別する。操作判定部２０４ａは、移動先のポイントＰ１ｂあるいはポイントＰ２ｂの位置にオブジェクトが存在するかをＯＳ２００に問い合わせる。なお、ＯＳ２００は、ポイントＰ１ｂあるいはポイントＰ２ｂがアイコンＡの表示位置と一致しなくても、アイコンＡの周辺であれば存在するものと判別する。
【００４９】
　ここで、オブジェクト（ここではアイコンＡ）が存在していることがＯＳ２００により通知されると（ステップＡ３、Ｙｅｓ）、モード設定部２０５は、アイコンＡに対する移動モードを設定する（ステップＡ４）。
【００５０】
　ＯＳ２００は、モード設定部２０５により移動モードが設定されたことをユーザが認識できるように、ＬＣＤ１４に表示されたアイコンＡの表示形態（例えば、表示色）を変更する。
【００５１】
　移動モードが設定された後、タッチパネル１５，１７に対する接触が接触検出部２０３により検出されると（ステップＡ５、Ｙｅｓ）、ＯＳ２００は、接触検出部２０３により検出された位置に、移動モードが設定されたアイコンＡの表示位置を移動させる処理を実行する（ステップＡ６）。例えば、アイコンＡに対して移動モードが設定された後、タッチパネル１７に対して指が接触されると、タッチパネル１７の接触位置に対応するＬＣＤ１６の表示位置にアイコンＡを移動させる。
【００５２】
　なお、モード設定部２０５は、移動モードを設定した後、移動先を示す位置の指定がない場合（ステップＡ５、Ｎｏ）、移動モードを解除するものとする。例えば、
移動モードを設定した後、予め決められた一定時間以上（例えば５秒以上）、タッチパネル１５，１７に対する接触がない場合には、移動モードを解除する
（３）引用文献３
　本願の優先日前に日本国内において頒布され、特開２０１１−２５３５５６号公報（以下、「引用文献３」という。）には、次の技術事項が記載されている。
ア．「【００９６】
　図１１（Ａ）において、ユーザは、タッチパネル３０の入力部３４上で、左上のフォルダを押圧している。このフォルダをユーザが押圧することにより、入力部３４を押圧する押圧荷重が第１の荷重基準Ｐ２を満たさない状態から満たす状態へ変化すると（ステップＳ１１のＹｅｓ、ステップＳ１２のＹｅｓ）、図１１（Ｂ）の上側に示すように、押圧していたフォルダがオープンする（ステップＳ１３）。その後、ユーザが入力部３４を押圧したまま、オープンしたフォルダに含まれる他のフォルダの位置まで押圧入力の位置を移動させて、図１１（Ｂ）の上側に示す表示部において矢印が示す位置を押圧している状態になったとする。この状態で、入力部３４を押圧する押圧荷重が再び第１の荷重基準Ｐ２を満たさない状態から満たす状態へ変化すると（ステップＳ１１のＹｅｓ、ステップＳ１２のＹｅｓ）、図１１（Ｃ）の上側に示すように、押圧していたフォルダがオープンする（ステップＳ１３）。
【００９７】
　その後
、図１１（Ｃ）に示す状態Ｃにおいて、ユーザは、第１の荷重基準Ｐ２を満たしていた押圧力を弱めたため、時刻Ｔ３以降、荷重検出部４０が検出する押圧荷重が、第２の荷重基準Ｐ１を下回っている（ステップＳ１４のＹｅｓ）。しかしながら、図１１の時刻Ｔ３以降に示すように、第２の荷重基準Ｐ１を下回った期間が所定時間ｔ以内であり（ステップＳ１６のＮｏ）、再び第２の荷重基準Ｐ１を満たす押圧荷重が検知されたため（ステップＳ１７のＹｅｓ）、フォルダはクローズされない
【００９８】
　
したがって、ユーザが意図せず押圧力を弱め過ぎてしまう誤操作をしてしまった場合でも、その操作が所定時間以内であれば、オープンしたフォルダが、ユーザの意図に反してクローズされることはない
この後、ユーザは、第１の荷重基準Ｐ２を満たす押圧荷重まで再び押圧力を強めることにより、さらにフォルダをオープンさせる操作を続行することができる
【００９９】
　
一方、図１１（Ｃ）に示す状態Ｃの終端においても、ユーザは、第２の荷重基準Ｐ１を満たしていた押圧力を弱めたため、時刻Ｔ４以降、荷重検出部４０が検出する押圧荷重が、第２の荷重基準Ｐ１を下回っている（ステップＳ１４のＹｅｓ）。この場合、図１１の時刻Ｔ４以降に示すように、第２の荷重基準Ｐ１を下回った期間が所定時間ｔを超えるため（ステップＳ１６のＹｅｓ）、時刻Ｔ５において、図１１（Ｄ）に示す状態Ｄのように、最下層のフォルダがクローズされる
【０１００】
　したがって、ユーザが意図して押圧力を弱めたことにより、その操作が所定時間を超える場合、オープンしたフォルダがユーザの意図通りにクローズされる。このように、本実施の形態の入力装置によれば、ユーザ側が意図せず誤操作をしてしまった場合であっても、当該誤操作に対処することができ、ユーザは、自らの意図する通りの操作を行うことができる。」
イ．図１１
　上記引用文献２、３の記載及び図面、並びにこの分野の技術常識を考慮すると、引用文献２または引用文献３には以下の技術（以下、「周知の技術」という。）が開示されていると認められる。
「誤検出の防止手段として、既定の時間にわたって検出対象の検出がされていない場合に、検出がされていないと判断すること。」
　
第４　対比・判断
　本願発明と引用発明とを対比する。
ア．引用発明の「特殊処理を実行する方法」は、本願発明の「方法」に相当する。
イ．引用発明の「タッチパッド５」、及び「液晶ディスプレイ１０」は、本願発明の「タッチ感知面」、及び「ディスプレイ」に相当する。
　また、引用発明の「パーソナルコンピュータ１」は、「タッチパッド５」が設けられる「本体２」と、「ディスプレイ」が設けられる「表示部３」とから構成され、また、「タッチパッド５」は「感圧センサ３０」を有し、「タッチパッド５」の「表面が指でこすられ」ると「感圧センサ３０」は「押圧力を検出」できるものであるから、引用発明の「指でこすられ」ること、及び、その際の「押圧力」は、本願発明の「接触」、及び、「接触の強度」に相当し、そして、引用発明の「感圧センサ３０」は、本願発明の「前記タッチ感知面との接触の強度を検出するための１つ以上のセンサ」に相当し、さらに、引用発明の「パーソナルコンピュータ１」は、本願発明の「タッチ感知面及びディスプレイを備え、前記タッチ感知面との接触の強度を検出するための１つ以上のセンサを含む、電子デバイス」に相当する。
ウ．引用発明は、「タッチパッド５」が「α閾値以上の押圧力で押圧される」ことを検出すると、「マイコンピュータのウィンドウ画面」が選択され「アクティブな状態」となり、「指の移動に応じてマウスカーソル７０と共にマイコンピュータのウィンドウ画面を移動」できるものであり、「マイコンピュータのウィンドウ画面の移動」を「マウスカーソル７０」によって制御できるものと認められるから、引用発明の「アクティブな状態」の「マイコンピュータのウィンドウ画面」、及び「マウスカーソル７０」は、本願発明の「現在選択されている対応のユーザインタフェースオブジェクト」、及び「ユーザインタフェースオブジェクトの移動を制御するフォーカスセレクタ」に相当する。
　そして、引用発明において「その表面」が「指」で「こすられる」こと、及び、「押圧力」は「タッチパッド５」が検出するものであることから、引用発明において「タッチパッド５」が「タッチパッド５の表面がα閾値よりも小さい押圧力で押圧されてこすられることによりマウスカーソル７０をウィンドウ画面８０のタイトルバー８１上に移動させ、当該タッチパッド５の表面が指でα閾値以上の押圧力で押圧」されることを検出することは、本願発明の「前記タッチ感知面との接触を検出することであって、前記接触が、現在選択されている対応のユーザインタフェースオブジェクトの移動を制御するフォーカスセレクタと関連付けられる、接触を検出すること」に相当する。
エ．引用発明において「マイコンピュータのウィンドウ画面」が選択され「アクティブな状態」となった後に、「タッチパッド５の表面が指でβ閾値以上の押圧力で押圧された状態でこすられると」、「タッチパッド５」上の「指の移動に応じてマウスカーソル７０」が移動しており、「タッチパッド５」が「指」の接触を連続的に検出していることは明らかである。
　ここで、本願の【発明の詳細な説明】の段落【０１９７】には、「対応のロケーション」に関して「タッチ感知面上での接触を連続的に検出する間に（１８４０４）、デバイスは、対応のロケーションに向かうフォーカスセレクタの移動に対応するタッチ感知面上での接触の第１の移動を検出する（１８４０６）（
例えば、対応のロケーションは、ユーザがオブジェクトを「ドロップ」しようと試みるロケーションである
　そして、一般に、「ウィンドウ」のドラッグ操作は「ウィンドウ画面」を所望の位置にいわゆるドロップさせる操作であって、引用発明では「タッチパッド５の表面に加えられた押圧力がβ閾値を下回」った位置において「マイコンピュータのウィンドウ画面を停止」させており、引用発明において「タッチパッド５の表面に加えられた押圧力がβ閾値を下回」る位置が「マイコンピュータのウィンドウ画面」のドロップ位置と認められ、さらに、「マウスカーソル７０」をこのドロップ位置に向けて移動させていることは明らかであるから、引用発明の「タッチパッド５の表面に加えられた押圧力がβ閾値を下回」る位置、及びこの位置に向けての「マウスカーソル７０」の移動は、本願発明の「対応のロケーション」、及び「第１の移動」に相当する。
　したがって、引用発明の「タッチパッド５」が「タッチパッド５の表面が指でβ閾値以上の押圧力で押圧された状態でこすられる」ことを検出することは、本願発明の「前記タッチ感知面上での前記接触を連続的に検出している間に、対応のロケーションに向かう前記フォーカスセレクタの移動に対応する前記タッチ感知面上での前記接触の第１の移動を検出することと」に相当し、引用発明の「タッチパッド５の表面が指でβ閾値以上の押圧力で押圧された状態でこすられると、ＲＡＭ３７上に立ち上げている特殊処理表示プログラム及びＯＳに基づき、その指の移動に応じてマウスカーソル７０と共にマイコンピュータのウィンドウ画面を移動」することは、本願発明の「前記タッチ感知面上での前記接触の前記第１の移動を検出することに応答して、前記接触の前記第１の移動に従って前記ディスプレイ上で前記フォーカスセレクタを移動し、前記フォーカスセレクタの前記移動に従って前記対応のユーザインタフェースオブジェクトを移動」することに相当する。
オ．引用発明の上記ドロップ位置は「押圧力がβ閾値を下回」った位置であり、ここで接触の強度を判定していることは明らかであるから、引用発明の上記ドロップ位置で「タッチパッド５」が「押圧力を検出」することは、本願発明の「前記フォーカスセレクタが前記ディスプレイ上の前記対応のロケーションにある間に、前記タッチ感知面上での前記接触の強度を判定する」ことに相当する。
カ．引用発明は、「通常処理」から押圧力が「特殊処理開始用のα閾値」を上回ったら「特殊処理」となり、その後、押圧力が「特殊処理終了用のβ閾値」を下回ったら「通常処理」に戻るもであって、ここで、「通常処理」は「その押圧に応じてマウスカーソルの移動」を行うものである。
　してみれば、引用発明において「特殊処理」として「左ボタン操作処理」を設定した際にも「タッチパッド５の表面に加えられた押圧力がβ閾値を下回」った際には「通常処理」に戻るものと認められ、引用発明において「β閾値を下回」った「その時点でマウスカーソル７０と共に、マイコンピュータのウィンドウ画面を停止」するのは、その時点で「タッチパッド５」上の指の移動も停止したからであって、押圧力がβ閾値を下回る上記ドロップ位置を過ぎても「タッチパッド５」上の指の移動を継続すれば、「通常処理」として「その押圧に応じてマウスカーソル」のみは移動するものと解される。
　また、引用発明において上記ドロップ位置を過ぎても、β閾値を上回って「タッチパッド５」上の指の移動を継続し続ければ、マイコンピュータのウィンドウ画面のドラッグ操作が継続されることはあきらかである。
　そして、引用発明において、マウスカーソル７０の上記ドロップ位置を過ぎる移動のための、対応する「タッチパッド５」上の指をこすることによる移動を「第２の移動」と称することは任意である。
　さらに、引用発明の「特殊処理開始用のα閾値」「よりも小さい値」である「特殊処理終了用のβ閾値」は、「β閾値」を既定の時間にわたって満たさないときに「特殊処理」を終了するものではないが、「β閾値」を下回れば「特殊処理」は終了するものであって、押圧力強度の評価の基準の閾値であるといえるから、引用発明の「特殊処理開始用のα閾値」「よりも小さい値」である「特殊処理終了用のβ閾値」と、本願発明の「対応の強度閾値を含み、前記接触の前記強度が既定の時間期間よりも長い時間にわたって前記対応の強度閾値を下回るときに、前記接触が前記対応の強度評価基準を満たさない」とする「強度評価基準」とは、「対応の強度閾値を含み」、「強度閾値を下回るときに、前記接触が前記対応の強度評価基準を満たさない」とする「強度評価基準」である点では共通する。
　したがって、引用発明において上記ドロップ位置を過ぎても「タッチパッド５」上を指でこすり続けこれを「タッチパッド５」が検出することは、本願発明の「前記対応のロケーションから離れる前記フォーカスセレクタの移動に対応する前記タッチ感知面上での前記接触の第２の移動を検出すること」に相当し、そして、引用発明においてβ閾値を下回る押圧力で上記ドロップ位置を過ぎても「タッチパッド５」上を指の移動を継続し「通常処理」として「その押圧に応じてマウスカーソル」のみが移動することは、本願発明の「前記タッチ感知面上での前記接触の前記第２の移動を検出することに応答して」「前記接触が前記対応の強度評価基準を満たさないという判定に従って、前記ユーザインタフェースオブジェクトを移動することなく、前記タッチ感知面上での前記接触の前記第２の移動に従って前記フォーカスセレクタを移動する」ことに相当し、さらに、引用発明においてβ閾値を上回る押圧力で上記ドロップ位置を過ぎても、「タッチパッド５」上の指の移動を継続し「ドラッグ操作」が継続することは、本願発明の「前記タッチ感知面上での前記接触の前記第２の移動を検出することに応答して、前記接触が対応の強度評価基準を満たすという判定に従って、前記タッチ感知面上での前記接触の前記第２の移動に従って前記フォーカスセレクタ及び前記ユーザインタフェースオブジェクトを移動」することに相当する。
　
　そうすると、本願発明と引用発明とは次の点で一致ないし相違するものと認められる。
　
（一致点）
　
「方法であって、
　タッチ感知面及びディスプレイを備え、前記タッチ感知面との接触の強度を検出するための１つ以上のセンサを含む、電子デバイスにおいて、
　前記タッチ感知面との接触を検出することであって、前記接触が、現在選択されている対応のユーザインタフェースオブジェクトの移動を制御するフォーカスセレクタと関連付けられる、接触を検出することと、
　前記タッチ感知面上での前記接触を連続的に検出している間に、
　　対応のロケーションに向かう前記フォーカスセレクタの移動に対応する前記タッチ感知面上での前記接触の第１の移動を検出することと、
　　前記タッチ感知面上での前記接触の前記第１の移動を検出することに応答して、
　　　前記接触の前記第１の移動に従って前記ディスプレイ上で前記フォーカスセレクタを移動し、前記フォーカスセレクタの前記移動に従って前記対応のユーザインタフェースオブジェクトを移動し、かつ、
　　　前記フォーカスセレクタが前記ディスプレイ上の前記対応のロケーションにある間に、前記タッチ感知面上での前記接触の強度を判定することと、
　　前記対応のロケーションから離れる前記フォーカスセレクタの移動に対応する前記タッチ感知面上での前記接触の第２の移動を検出することと、
　　前記タッチ感知面上での前記接触の前記第２の移動を検出することに応答して、
　　　前記接触が対応の強度評価基準を満たすという判定に従って、前記タッチ感知面上での前記接触の前記第２の移動に従って前記フォーカスセレクタ及び前記ユーザインタフェースオブジェクトを移動し、かつ、
　　　前記接触が前記対応の強度評価基準を満たさないという判定に従って、前記ユーザインタフェースオブジェクトを移動することなく、前記タッチ感知面上での前記接触の前記第２の移動に従って前記フォーカスセレクタを移動することと、
　を含み、
　前記対応の強度評価基準が、対応の強度閾値を含み、
　前記対応の強度閾値を下回るときに、前記接触が前記対応の強度評価基準を満たさない、
　　方法。」
　　
（相違点）
　上記「強度評価基準」が、本願発明では、「前記接触の前記強度が既定の時間期間よりも長い時間にわたって前記対応の強度閾値を下回るときに、前記接触が前記対応の強度評価基準を満たさない」とするものであるのに対して、
　引用発明では、そのような限定がなされていな点。
　
　
第５　検討
　そこで、上記相違点について検討する。
　引用発明は、「特殊処理開始用α閾値」と「特殊処理終了用のβ閾値」の差の範囲内の押圧力の変動に対しては、誤検出され「特殊処理」の中断が起きることがないものであり、一定範囲の変動に対して誤検出を防止できるものと認められる。
　しかし、押圧力の変動としては、上記一定範囲の変動以外に、一瞬（短期的に）タッチ面から指が離れてしまうような大きな変動も普通によく起こることであり、引用発明における変動として、一定範囲の変動が続く場合以外に、そのような短期的な大きな変動が起きることも、当然に予想されることと認められる。
　また、引用文献２、引用文献３にも記載されるように、誤検出の防止手段として、既定の時間にわたって検出対象の検出がされていない場合に、検出がされていないと判断することは周知の技術であって、そして、該周知の技術は、既定の時間を基に判断を行うものであるから、既定の時間内の短期的な変動に対する誤検出のような場合に対して用いられるものであることは明らかである。
　してみれば、引用発明において押圧力の変動として短期的な大きな変動に対して対応できるように、上記周知の技術を適用して、「強度評価基準」として、「特殊処理開始用α閾値」を「既定の時間期間よりも長い時間にわたって」「下回るときに」「特殊処理」ではない（「通常処理」）とすることを採用することは、当業者が容易に想到し得たことである。
　また、本願発明の効果も、引用発明、及び周知の技術から想到される構成から当業者が予想できる範囲のものである。
　　
第６　むすび
　
　以上のとおりであって、本願発明は、上記引用発明、及び周知の技術に基づいて当業者が容易に発明をすることができたものであるから、特許法第２９条第２項の規定により特許を受けることができない。
　したがって、本願は、その他の請求項について論及するまでもなく拒絶すべきものである。　
　よって、結論のとおり審決する。